(57)【要約】  本発明は、蛍光灯に置き換わる発光装置２であって、発光システム１を照明器具に接続するための２つの集合の接続ピン２１、２３、２１´、２３´と、バルブによってカプセル化されていると共にバルブを介して導入されている１つの第１及び１つの第２のフィラメントユニットであって、前記接続ピンに電気的に結合されているフィラメントユニットと、フィラメントユニット間に電気的に接続されている固体光源とを有する、発光装置２に関する。
2018505523.tif 000002
【特許請求の範囲】
【請求項１】
少なくとも固体光源と、
発光装置を照明器具に接続する２つの集合接続ピンと
を有する発光ユニットを有する、蛍光灯に置き換わる前記発光装置であって、
少なくとも１つのフィラメントユニットを更に有し、接続ピンの各集合が少なくとも１つのフィラメントユニットに電気的に結合されている発光装置において、
前記フィラメントユニットは、
少なくとも１つの第１及び第２のフィラメントユニット接続ピンと、
前記フィラメントユニット接続ピンに電気的に結合されている少なくとも１つのフィラメントとを有し、
前記フィラメントユニットは前記少なくとも１つのフィラメントを少なくともカプセル化するバルブを更に有し、前記フィラメントユニット接続ピンは前記バルブを介して導入される、発光装置。
【請求項２】
前記フィラメントは、蛍光灯の従来のフィラメントである、請求項１に記載の発光装置。
【請求項３】
前記フィラメントは正温度係数を有し、前記フィラメントを通過する電流として光を発することができる、請求項１に記載の発光装置。
【請求項４】
前記フィラメントユニット接続ピンは、前記少なくとも１つのフィラメントに電気的に結合されている対応する接続棒に電気的に結合されている、請求項１に記載の発光装置。
【請求項５】
前記フィラメントユニットは、更に、直列に、かつ、前記第１及び第２のフィラメントユニット接続ピン間で電気的に結合される２つのフィラメントを有し、前記フィラメントユニットは、更に、前記２つのフィラメント間のコモン・ノードに電気的に結合された第３のフィラメントユニット接続ピンを有し、前記第３のフィラメントユニット接続ピンは前記バルブを介して導入されている、請求項１に記載の発光装置。
【請求項６】
前記フィラメントユニットは、前記バルブ内に少なくとも部分的にカプセル化されているステム、前記接続棒、及び前記ステムに機械的に取り付けられているフィラメントユニット接続ピンを更に有する、請求項１に記載の発光装置。
【請求項７】
前記フィラメントユニットの前記バルブがガラスで作られている、請求項１に記載の発光装置。
【請求項８】
前記フィラメントユニットのバルブがガスで充填されている、請求項１に記載の発光装置。
【請求項９】
前記接続ピンの各集合が、請求項１又は２に記載の１つの対応するフィラメントユニットに電気的に結合されており、一方のフィラメントユニット接続ピンは前記第１の接続ピンに電気的に結合されており、他方の前記フィラメントユニット接続ピンは前記第２の接続ピン及び前記発光ユニットに電気的に結合されている、請求項１に記載の発光装置。
【請求項１０】
前記接続ピンの各集合は、互いに直列に接続されている請求項１又は２に記載の２つの対応するフィラメントユニットに電気的に結合されており、２つの前記フィラメントユニット間のコモン・ノードは前記発光ユニットに電気的に結合されている、請求項１に記載の発光装置。
【請求項１１】
前記接続ピンの各集合は、請求項３に規定されているような１つの対応するフィラメントユニットに電気的に結合され、第１のフィラメントユニット接続ピンは前記第１の接続ピンに電気的に結合され、前記第２のフィラメントユニット接続ピンは前記第２の接続ピンに電気的に結合され、前記第３のフィラメントユニット接続ピンは前記発光ユニットに電気的に結合されている、請求項１に記載の発光装置。
【請求項１２】
各端部キャップが２つの接続ピン及び前記少なくとも１つのフィラメントユニットを有している、２つの端部キャップを有する請求項１乃至１１の何れか一項に記載の発光装置。
【請求項１３】
電子バラストを有する固体光源の発光装置の互換性を改善する方法であって、少なくとも１つのフィラメントユニットを固体光源の前記発光装置の接続ピンの少なくとも１つの集合に電気的に結合するステップを有する方法において、前記フィラメントユニットは、ランプの従来のフィラメントである少なくとも１つのフィラメントであって、電流がフィラメントを通過する際に光を発することができると共に、正の温度係数を有するフィラメントをカプセル化するバルブを有する、方法。
【発明の詳細な説明】
【技術分野】
【０００１】
本発明は、一般的には、発光システムに関し、より詳細には、バラスト（特に高周波（ＨＦ）バラスト）を有する様々な照明器具内に互換性を有して置き換えられることができる発光ダイオード（ＬＥＤ）ランプに関する。
【背景技術】
【０００２】
ＬＥＤは、一般的に、照明アプリケーションにおいて、ますます重要な役割を果たしている。結果として、ますます多くの新しい設備が、様々な仕方において、ＬＥＤ光源を備えている。従来技術の光源の状態をＬＥＤ光源に置き換える理由は、ＬＥＤ光源の低電力消費及び極めて長い寿命にある。更に、例えば、蛍光灯型の光源の寿命と比較して、蛍光灯型の光源を収容する対応するハウジング及び蛍光灯型の光源に給電する対応するドライバの寿命が幾分か長い。従って、ユーザが単にこのような種類の蛍光灯型の光源を置き換えることができるならば、魅力的なようである。
【０００３】
Ｔ８又はＴ１２と指定されている種類の管のような、据え付けられている蛍光管及び付随的なＨＦバラスト（一般に電子バラストとも称される）を有する多数の照明器具を備える工場、店舗、倉庫及びオフィスビルのような、多くの商業的、産業的及び小売の環境が存在する。
【０００４】
ＬＥＤベースの照明器具は、蛍光管に対しての有利な置換えの解決案である傾向にある。ＬＥＤベースの管は、一般に「ＬＥＤ管」として又は頭字語「ＴＬＥＤ」によって称されている。今日、様々な既存のＬＥＤ管があり、前記ＬＥＤ管の殆どは、「互換性を持つ本線」と一般に指定されているＬＥＤ管のような、本線入力により導入されるように設計されている。
【０００５】
「ＴＬ管」と一般に称されている蛍光光源（例えば管状蛍光灯）は、典型的にはランプの各端部においてフィラメントを有し、前記フィラメントは、少なくとも必要とされる予熱期間において前記バラストに直列に接続されており、この結果、ガス充填されている管内でアークが適切に生じることができる。
【０００６】
現代の電子バラスト又はドライバは、ＴＬ管の識別を可能にするフィーチャーを有しており、例えば、バラストに接続されたＴＬ管の種類を検出するために前記フィラメントの抵抗値を測定するための手段を有することができる。フィラメント抵抗のこのような測定は、典型的には異なる管の種類は異なる駆動電力要件を必要とするので有利である。例えば、ＴＬ管の長さは、管の燃焼電圧、従って電力レベルに影響を与える。ＬＥＤレトロフィット管が、このようなインテリジェントな管ドライバに接続される場合、ＬＥＤの存在及び単純なＴＬ管フィラメントではないことにより、管ドライバは、予想外のフィラメント抵抗値を測定し得て、従って動作を中止し得る。従って、電子バラストの大部分は、適切に始動されるためにフィラメント検出フィーチャーを必要とする。
【発明の概要】
【発明が解決しようとする課題】
【０００７】
既知の解決案は、フィラメントの抵抗又はインピーダンスを真似する（mimic）ことによって、蛍光灯の存在を模倣する（emulate）フィラメント回路の使用から成る。図１に示されているように、フィラメント模倣回路１は、典型的には、ＴＬＥＤの各端部キャップ１０の接続ピン１１、１３と直列に配され、直列に２つの抵抗器Ｒ１、Ｒ２を有する。
【０００８】
抵抗器Ｒ１又はＲ２の期待される電力消費は、電子バラストが接続ピン１１、１３に接続されているコンフィギュレーションに依存する。ＨＦランプ電流が抵抗器Ｒ１又はＲ２に流れ、結果として抵抗器Ｒ１、Ｒ２を連続的に過熱することになる。このような従来技術は、国際出願公開第２０１５／０１４６８０号、欧州特許出願公開第２３７８８３９号、米国特許出願公開第２０１１／０４３１２７号及び国際出願公開第２００９／１３６３２２号等である。
【０００９】
本発明の目的は、ＴＬＥＤと幾つかの電子バラストとの間に生じ得る非互換性の問題を、この点においてフィラメント模倣回路よりも有利な解決案によって解決することにある。
【課題を解決するための手段】
【００１０】
本発明は、添付の請求項により規定される。
【００１１】
本発明の実施例の基本的な着想は、バラストとの互換性を提供する蛍光灯のような、従来のランプの本物のフィラメントを使用することにある。前記実施例における蛍光灯フィラメントは、正の温度係数により電力損失も低減する。更に、当該基本的な着想は、温度を上昇させて更に電力損失を低減するように前記フィラメントをカプセル化する（encapsulate）ためのバルブを付加することも提案する。
【００１２】
本発明の１つの見地は、蛍光灯に置き換わるための発光装置であって、少なくとも固体光源と当該発光システムを照明器具に接続するための２つの集合の接続ピンとを有する発光ユニットを有する発光装置において、前記接続ピンの各集合は、少なくとも１つの第１及び第２のフィラメントユニット接続ピンを有する少なくとも１つのフィラメントユニットに電気的に結合されており、少なくとも１つのフィラメントは前記フィラメントユニット接続ピンに電気的に結合されており、前記フィラメントユニットは少なくとも前記少なくとも１つのフィラメントをカプセル化しているバルブを更に有し、前記フィラメントユニット接続ピンは前記バルブを介して導入されている、発光装置である。
【００１３】
本出願は、フィラメントを模倣する他の何かを使用することなく、本物のフィラメントを使用することを提案する。従って、バラストは、バラストが完全に本物のフィラメントを検出するので、更に良好に当該発光装置を認識することができる。このことは、固体発光装置と従来の照明器具（例えばバラスト）との間のより良好な互換性を与える。
【００１４】
より詳細には、フィラメントとは、蛍光灯の従来型のフィラメントである。更に、フィラメントは、正温度係数を有しており、電流が前記フィラメントを通過するときに光を発することができる。
【００１５】
フィラメントを流れる電流がフィラメントを加熱するので、フィラメントの温度は増大し、前記フィラメントのインピーダンスも増大する。増大されたインピーダンスはフィラメントにおける電力損失を低減し、次いで、過熱の問題が解決される。典型的なフィラメントは、４のホット／コールド比率（hot/cold ration）を有する。従って、より熱い場合、電力の損失はより少ない。更に、前記発光装置は、熱をバルブ内に保持するバルブを構成している。結果として、前記フィラメントはより熱くなり、従って、インピーダンスはより急速に高くなり、従って電力損失もより良好に低減する。
【００１６】
本発明の第１の例示的な実施例において、前記フィラメントユニット接続ピンは、前記少なくとも１つのフィラメントに電気的に結合される対応する接続棒に電気的に結合されることができる。
【００１７】
本発明の第２の例示的な実施例において、前記フィラメントユニットは、直列に電気的に結合されると共に前記第１のフィラメントユニット接続ピンと前記第２のフィラメントユニット接続ピンとの間にある２つのフィラメントを有することができ、前記２つのフィラメント間のコモン・ノードに電気的に結合される第３のフィラメントユニット接続ピンであって、前記バルブを介して導入されている第３のフィラメントユニット接続ピンを更に有することができる。
【００１８】
本発明の例示的な実施例において、前記フィラメントユニットは、前記バルブ内に少なくとも部分的にカプセル化されているステムと、前記ステムに機械的に取り付けられている接続棒及びフィラメントユニット接続ピンを更に有する。
【００１９】
本発明の例示的な実施例において、前記バルブは、ガラスで作られることが可能である。
【００２０】
本発明の例示的な実施例において、前記バルブは、ガスを充填されることができる。前記ガスは、フィラメントを冷却し、生成された熱をより容易に環境にもたらすこととなる。バルブ及びガスは、環境との熱バランスを達成するので、フィラメントの温度は最適な温度にある。この温度において、前記フィラメントは、過剰に高い温度から損傷を受けるのを防止されるのと同様に、電力損失を低減する。
【００２１】
本発明の例示的な実施例において、接続ピンの各集合は、上述の第１の見地又は第１の例示的な実施例におけるような、１つの対応するフィラメントユニットに電気的に結合されることができ、一方のフィラメントユニット接続ピンは前記第１の接続ピンに電気的に結合されており、他方のフィラメントユニット接続ピンは前記第２の接続ピン及び前記発光ユニットに電気的に結合されている。
【００２２】
本発明の例示的な実施例において、接続ピンの各集合は、前記発光ユニットに電気的に結合されている２つのフィラメントユニット間のコモン・ノードにおいて、互いに直列に接続されている上述の第１の見地又はその第１の例示的な実施例におけるように、２つの対応するフィラメントユニットに電気的に結合されることができる。
【００２３】
本発明の例示的な実施例において、接続ピンの各集合は、上述の第２の例示的な実施例におけるような１つの対応するフィラメントユニットに電気的に結合されることができ、前記第１のフィラメントユニット接続ピンは第１の接続ピンに電気的に結合されており、前記第２のフィラメントユニット接続ピンは前記第２の接続ピンに電気的に結合されており、前記第３のフィラメントユニット接続ピンは前記発光ユニットに電気的に結合されている。
【００２４】
例示的な実施例において、発光装置は、２つの端部キャップを有することができ、各端部キャップは、前記少なくとも１つのフィラメントユニットにおいて２つの接続ピンを有する。
【００２５】
本発明の他の見地は、記載されている実施例の何れかにおいて規定される少なくとも１つのフィラメントユニットを固体光源の発光装置の接続ピンの少なくとも１つの集合への電気的に結合を有する電子バラストを備える固体光源の発光装置の互換性を向上させる方法であって、前記フィラメントユニットは、ランプの従来のフィラメントであって、電流が当該フィラメントを流れる際に発光することができると共に正温度係数を有する少なくとも１つのフィラメントをカプセル化しているバルブを有する、方法である。
【００２６】
本発明のこれら及び他の見地は、以下に記載される実施例を参照して明らかになり説明されるであろう。
【００２７】
本発明の例は、ここで、添付の図面を参照して詳述される。
【図面の簡単な説明】
【００２８】
【図１】ＨＦバラスト互換性を有するＴＬＥＤのフィラメント模倣回路の電気回路図を示している。
【図２】特に本発明の第１の実施例によるフィラメントユニットを有している発光装置を示している図である。
【図３】本発明の第２の実施例によるフィラメントユニットを有するレトロフィットＴＬＥＤを示している図である。
【図４】本発明の第３の実施例によるフィラメントユニットを有するレトロフィットＴＬＥＤを示している図である。
【図５】第３の実施例において使用されるようなフィラメントユニットを模式的に示している図である。
【図６】前記第１及び第２の実施例において記載されたフィラメントユニットの詳細な図である。
【発明を実施するための形態】
【００２９】
本発明の根底にある発明の概念は、レトロフィット発光システムが本物のフィラメントユニットを、本質的には発光システムの接続ピンに結合されるように設計された別々の構成要素の形態において備えることができることにある。発光システムは、少なくとも１つのこのようなフィラメントユニットを備えることができ、又はフィラメントユニットが、既存の電子バラストとの互換性を向上させるために既存の発光システムに結合されるように設けられることができる。本発明の１つの見地による発光システムの様々な実施例が、フィラメントユニットの実施例と同様に、以下に記載される。
【００３０】
図２は、本発明の第１の実施例による、特に、フィラメントユニットを有する発光装置を示している。
【００３１】
発光装置２は、実質的に細長い（管状）形状のハウジング２００を有する。ハウジング２００は、以下で更に記載されるように、透明又は半透明の管と、ハウジング２００の２つの対向する端部において前記管に機械的に結合されている口金とを有することができる。
【００３２】
発光装置２は、更に発光ユニット２０１を有する。発光装置２は、直管ランプ又はＴＬＥＤのような、ＬＥＤレトロフィット・ランプであることができる。発光装置２は、自身の両方の対向する端部において、それぞれ、一組の接続ピン２１、２３及び２１´、２３´を有する。例えば、接続ピン２１、２３及び２１´、２３´は、２つのキャップにおいて、所謂ダブルキャップＴＬＥＤにおいて配されている。従って、ランプ口金は、例えば、対応する接点要素（例えば、双ピンベース）を備えている。例えば、ランプ口金は、Ｔ５又はＴ８蛍光灯の電気及び／又は機械的特性を有することができる。
【００３３】
発光ユニット２０１は、無機ＬＥＤ又は有機発光ダイオード（一般にＯＬＥＤと称される）のような、固体光源の何らかの種類の少なくとも１つを有することができる。例えば、典型的なレトロフィット・アプリケーションにおいて、発光ユニットの全束は、３００ｌｍ乃至１００００ｌｍの範囲にあることができ、典型的な５Ｗ乃至８０Ｗの蛍光管ランプに対応する。前記発光ユニットの順方向電圧は、例えば、３０Ｖ乃至２００Ｖの範囲において、特に４フィートのランプ（１フィート＝０．３０４８ｍ）に対する５０Ｖ乃至１００Ｖの範囲にあることができる。
【００３４】
発光ユニット２０１は、（例えば、輝度及び／又は色を設定するための）ＬＥＤドライバユニット、整流回路、平滑化段、フィルタキャパシタ及び／又は放電保護ダイオードのような、更なる電子又は電気構成要素を有することができる。発光ユニット２０１は、例えばＲＧＢ‐ＬＥＤを使用している、発される光の色制御が望まれているアプリケーションにおいて、又は当該発光装置の光束を更に増大させるために、２つ以上のＬＥＤを有することができる。
【００３５】
発光装置２は、ＰＬ型の蛍光灯器具に接続されるように適応化されることができる。発光装置２は、少なくとも第１及び第２のランプ口金を有することができる。
【００３６】
前記ランプ口金は、対応するランプ器具及び電力への発光ユニット２０１の電気的接続を提供するように構成されなければならない。
【００３７】
本発明の特性によれば、所与の集合の接続ピン２１、２３及び／又は２１´、２３´は、フィラメントユニット２０及び／又は２０´に電気的に結合されることができる。フィラメントユニットの例示的な構造は、特に図５及び６を参照して、以下で更に記載される。
【００３８】
図２に示されている例において、第１のフィラメントユニット２０は、発光装置２の第１の端部の第１の接続ピン２１と第２の接続ピン２３との間に電気的に結合され、第２の接続ピン２３は、例えば、発光装置２に電気的に結合されている。同様の態様において、第２のフィラメントユニット２０´は、発光装置２の第２端部の第１の接続ピン２１´と第２の接続ピン２３´との間に電気的に直列に結合され、第２の接続ピン２３´は、例えば、発光装置２に電気的に結合されている。
【００３９】
図３は、本発明の第２の実施例による、特にフィラメントユニットを有する発光装置を示している図である。
【００４０】
図３により示されている例示的な実施例において、発光装置３は、図２を参照して記載された発光装置２と類似の仕方において、ハウジング３００と、発光ユニット３０１と、第１の端部における第１及び第２の接続ピン３１、３３と、第２の端部における第１及び第２の接続ピン３１´、３３´とを有することができる。
【００４１】
第２の実施例の特性によれば、２つのフィラメントユニット３０ａ、３０ｂは、互いに直列に、かつ、発光装置３の第１の端部の第１の接続ピン３１と第２の接続ピン３３との間において電気的に結合され、類似の態様において、２つのフィラメントユニット３０´ａ，３０´ｂは、互いに直列に、かつ、発光装置３の第２の端部の第１の接続ピン３１´と第２の接続ピン３３´との間において電気的に結合される。
【００４２】
２つのフィラメントユニット３０ａ，３０ｂのコモン・ノードは発光ユニット３０１に電気的に結合され、同様に２つのフィラメントユニット３０ａ´，３０ｂ´のコモン・ノードは発光ユニット３０１に電気的に結合される。
【００４３】
第２の実施例の１つの利点は、発光装置３の各端部におけるフィラメントの低減された電力分布を可能にすることにある。この対称的なフィラメントのコンフィギュレーションによって、本線のランプ電流が全フィラメントの抵抗の僅か半分を流れることを可能にし、これにより消費を低減する。
【００４４】
図４は、本発明の第３の実施例による、特にフィラメントユニットを有する発光装置を示している。
【００４５】
図４により示される例示的な実施例において、発光装置４は、図３を参照して上述された発光装置３と類似の仕方において、ハウジング４００と、発光ユニット４０１と、第１の端部における第１及び第２の接続ピン３１、３３と、第２の端部における第１及び第２の接続ピン３１´、３３´とを有する。
【００４６】
第３の実施例の特性によれば、１つのフィラメントユニット４０が、第１のフィラメントユニット接続ピンＡ及び第２のフィラメントユニット接続ピンＢによって発光装置４の第１の端部における第１の接続ピン４１と第２の接続ピン４３との間で電気的に結合されると共に、第３のフィラメントユニット接続ピンＣによって、発光ユニット４０１に電気的に結合される。類似の態様において、１つのフィラメントユニット４０´が、第１の端部の第１のフィラメントユニット接続ピンＡ´及び第２のフィラメントユニット接続ピンＢ´によって発光装置４の第１の接続ピン４１´との第２の接続ピン４３´との間に電気的に結合されると共に、第３のフィラメントユニット接続ピンＣ´によって、発光ユニット４０１に電気的に結合される。
【００４７】
第３の実施例において、各フィラメントユニット４０，４０´は、直列に結合される２つのフィラメントを有する。図５に示されているように、フィラメントユニット４０は、第２の実施例による配置の等価回路が第３の例示的な実施例よる配置の等価回路と同じであるような仕方において、２つのフィラメント５０ａ，５０ｂと、前記２つのフィラメント５０ａ，５０ｂ間のノードに電気的に結合されている第３のフィラメントユニット接続ピンＣとを有する。
【００４８】
第３の実施例は、電力消費に関して第２の実施例と同じ利点がある。第３の実施例の更なる利点は、２つの組み合わされた二重フィラメントユニットの使用が４つのフィラメントユニットの使用と比較して小型及び経済的であるということにある。
【００４９】
図６は、第１及び第２の実施例において記載したようなフィラメントユニットの詳細な図を示している。
【００５０】
図６により示されているフィラメントユニット６０は、上述の第１の又は第２の例示的な実施例のうちの１つに対応し、即ちフィラメントユニット６０は、照明装置の対応するそれぞれの接続ピンへの電気結合に適応化された２つのフィラメントユニット接続ピン６１１，６１３を有する。
【００５１】
フィラメントユニット６０は、フィラメント６０１を有する。フィラメント６０１の端部は、２つのフィラメント接続棒６０７，６０９に電気的に結合されることができる。フィラメント接続棒６０７，６０９は、２つのフィラメントユニット接続ピン６１１，６１３にそれぞれ電気的に結合されることができる。
【００５２】
フィラメントユニット６０は、更にステム６０５を有する。２つのフィラメント接続棒６０７，６０９及びフィラメント接続ピン６１１、６１３は、ステム６０５に機械的に結合されることができ、例えば、２つのフィラメント接続棒６０７，６０９及びフィラメントユニット接続ピン６１１，６１３は、図６に示されているように、それぞれステム６０５の突出部の両側に堅固に取り付けられることができる。ステム６０５は、更に、例えば、示されている実施例におけるようなバルブ６０３底側のレベルにおいて、バルブ６０３に取り付けられるフットベース部を有する。バルブ６０３及びステム６０５は、例えば、ユニークな部分において一緒に形成される。幾つかの実施例において、フィラメント接続棒６０７，６０９及び対応するフィラメントユニット接続ピン６１１，６１３を接続しているは単一の部分を形成し、ステム６０５によって導入されることができる。
【００５３】
フィラメントユニット６０は、更に、少なくともフィラメント６０１、フィラメント接続棒６０７、６０９並びに少なくとも部分的にステム６０５及びフィラメントユニット接続ピン６１１、６１３をカプセル化するバルブ６０３を有する。フィラメントユニット接続ピン６１１，６１３は、各フィラメントユニット接続ピン６１１，６１３の端部がバルブ６０３から現れるような態様において、バルブ６０３を介して導入される。バルブ６０３は、例えば、ガラス、又は同様に低い熱伝導率を提供する何らかの材料若しくは良好な熱及び電気的絶縁を提供する何らかの材料によって作られることができ、高温及び真空に耐えることができる。バルブ６０３による封入は、気密な態様においてなされることができ、フィラメントを酸化から保護するためにガラス・バルブ内に真空が作られることができ、又はガラス・バルブ６０３は、有利には、フィラメント６０１によって環境に発される熱の良好な伝導による、フィラメント６０１の改善される冷却のために、ガス又は液体を充填されることができる。例えば、ガラス・バルブ６０３は、ヘリウムのような、高い熱伝導率を示している軽いガスにより充填されることができる。幾つかの場合において、バルブ面温度が許容可能なレベルの範囲内に保持されるように低い熱伝導率を保持することが有利であり得る。このことは、バルブが発光ユニット２０１、３０１、４０１又はＬＥＤの電子構成要素によって、緊密に組み立てられた場合に必要とされ得る。
【００５４】
前記フィラメントユニットは、上述の第３の例示的な実施例の通りに、第３のフィラメントユニット接続ピンを有することができる。このような場合、第３のフィラメントユニット接続ピンは、例えば、前記バルブを出る端部を提供するために、バルブの上部を介して導入されることができ、他方の端部は、２つのフィラメント間のノードに電気的に接続される。
【００５５】
フィラメント６０１は、蛍光管において使用される典型的なフィラメントのものと類似している熱伝導率及び／又は電気特性を提供するのに適しているものであり得る。例えば、フィラメント６０１がタングステンから作られ、コイルに似た形に巻回されることができる。フィラメント６０１は、コーティング層で覆われることができ、前記コーティング層は、発光特性を有していてもいなくても良い。
【００５６】
本発明は、添付の図面及び上述において詳細に説明され記載されたが、このような図例及び説明は、説明的なもの又は例示的なものとみなされるべきであり、限定的なものとみなされるべきではない。本発明は、開示された実施例に限定されるものではない。
【００５７】
開示された実施例に対する他の変更は、添付の図面、本明細書及び添付の特許請求の範囲の研究から、前記請求に記載の発明を実施する際に当業者により理解され遂行されることができる。添付の請求項において、「有する」なる語は他の要素又はステップを排除するものではなく、単数形は複数形を排除するものではない。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１】
2018505523.tif 000003
【図２】
2018505523.tif 000004
【図３】
2018505523.tif 000005
【図４】
2018505523.tif 000006
【図５】
2018505523.tif 000007
【図６】
2018505523.tif 000008
【国際調査報告】
2018505523.tif 000009
2018505523.tif 000010
2018505523.tif 000011